(57)【要約】【課題】複数枚のカードを左右に並べて収納させることができるとともに、これらのカードの挿入操作性を向上させることができるカード用コネクタ装置の提供。【解決手段】左側挿入空間６、右側挿入空間７のそれぞれへ第１カード１を案内する振り分け機構１０を備え、この振り分け機構１０は、回動部材１２と、この回動部材１２の軸１３を挟むように配置される第１，第２係合部１４，１５とを含み、第１カード１が左側挿入空間６に挿入されたとき、第１係合部１４への第１カード１の前端部１ｅの係合に伴って、第２係合部１５が第１カード１の側面を押圧するように振り分け機構１０を配置した。【選択図】      図９
2004318511.tif 000002
【特許請求の範囲】
【請求項１】
互いに連結され、それぞれ端子部材を有する左側挿入空間、右側挿入空間を備え、これらの左側挿入空間、右側挿入空間のそれぞれに、上記端子部材に接触する接触部材を有するカードが挿入可能であるとともに、
上記左側挿入空間、右側挿入空間のそれぞれへ上記カードを案内する振り分け機構を備え、この振り分け機構は、回動部材と、この回動部材の回動支点を挟むように配置される第１係合部、第２係合部とを含み、
上記カードが挿入されたとき、上記第１係合部及び第２係合部のうちの一方の係合部への上記カードの装置奥側に位置する前端部の係合に伴って、上記第１係合部及び第２係合部のうちの他方の係合部が、上記カードの側面を上記カードが上記左側挿入空間、または上記右側挿入空間へ案内される方向へ押圧するように上記振り分け機構を配置したことを特徴とするカード用コネクタ装置。
【請求項２】
上記請求項１記載の発明において、
上記左側挿入空間及び上記右側挿入空間を形成するハウジングに、上記回動部材を収容する凹部を設けたことを特徴とするカード用コネクタ装置。
【請求項３】
上記請求項２記載の発明において、
上記凹部の深さ寸法と上記回動部材の厚さ寸法との関係を、上記凹部の上縁部から上記回動部材が突出しない寸法関係に設定したことを特徴とするカード用コネクタ装置。
【請求項４】
上記請求項１記載の発明において、
上記カードが基準幅を有する第１カードから成り、
上記左側挿入空間、上記右側挿入空間のそれぞれの幅寸法を、上記第１カードの基準幅と略等しい寸法に設定するとともに、
上記左側挿入空間及び上記右側挿入空間を含む領域を、上記第１カードの上記基準幅の２倍の幅寸法を有する第２カードの挿入を可能にさせる空間領域に設定したことを特徴とするカード用コネクタ装置。
【請求項５】
上記請求項４記載の発明において、
上記第１カードが、その側面に上記他方の係合部を案内するガイド溝を有することを特徴とするカード用コネクタ装置。
【請求項６】
上記請求項５記載の発明において、
上記第１係合部、第２係合部のそれぞれが平面視円形状から成るとともに、これらの第１係合部、第２係合部の各径寸法を、上記第１カードのガイド溝の幅寸法の２倍以下に設定したことを特徴とするカード用コネクタ装置。
【請求項７】
上記請求項４記載の発明において、
上記第２カードが、上記第１係合部及び上記第２係合部を収納する凹部を有することを特徴とするカード用コネクタ装置。
【発明の詳細な説明】
【０００１】
【発明の属する技術分野】
本発明は、情報記憶機能を有する複数枚のカードの収納が可能なカード用コネクタ装置に関する。
【０００２】
【従来の技術】
この種の従来技術として、互いに連通する上側挿入空間と下側挿入空間とを備え、それぞれの挿入空間に１枚ずつ第１カードの挿入を可能にし、さらに連通する上側挿入空間と下側挿入空間の２つの領域を使用して、第１カードよりも厚い１枚の第２カードを挿入可能にしたものがある（例えば、特許文献１参照。）。
【０００３】
この従来技術では、第１カードが上下方向に２枚挿入されるようになっているので、装置全体の高さ寸法が大きくなってしまう。このことから、カードを上下ではなく左右に並べて収納し、装置の薄型化を図りたいとの要望があった。このようにカードを左右に並べて収納する構成とすることにより、複数枚のカードの収納が可能で、しかも薄型のカード用コネクタ装置を実現させることができる。
【０００４】
【特許文献１】
特開平６−３３２５７３号公報
（段落番号００１６〜００２３、図１，２）
【０００５】
【発明が解決しようとする課題】
ところが、上述のようにカードを左右に並べて収納するコネクタ装置は、薄型化を実現できるものの、カードを所定の装着位置まで案内するカード案内構造に係る問題がある。すなわち、カード案内構造の如何によっては、カード挿入時に慎重な位置合わせ等の煩雑な動作が必要になり、カードの挿入操作性が悪くなる。これにより、カード用コネクタ装置としての信頼性が低下する懸念がある。
【０００６】
本発明は、上述した従来技術における実状からなされたもので、その目的は、複数枚のカードを左右に並べて収納させることができるとともに、これらのカードの挿入操作性を向上させることができるカード用コネクタ装置を提供することにある。
【０００７】
【課題を解決するための手段】
上記目的を達成するために、本発明は、互いに連結され、それぞれ端子部材を有する左側挿入空間、右側挿入空間を備え、これらの左側挿入空間、右側挿入空間のそれぞれに、上記端子部材に接触する接触部材を有するカードが挿入可能であるとともに、上記左側挿入空間、右側挿入空間のそれぞれへ上記カードを案内する振り分け機構を備え、この振り分け機構は、回動部材と、この回動部材の回動支点を挟むように配置される第１係合部、第２係合部とを含み、上記カードが挿入されたとき、上記第１係合部及び第２係合部のうちの一方の係合部への上記カードの装置奥側に位置する前端部の係合に伴って、上記第１係合部及び第２係合部のうちの他方の係合部が、上記カードの側面を上記カードが上記左側挿入空間、または上記右側挿入空間へ案内される方向へ押圧するように上記振り分け機構を配置したことを特徴としている。
【０００８】
このように構成した本発明は、カードが挿入されると、そのカードの挿入位置に応じて振り分け機構によって、カードが左側挿入空間か、右側挿入空間のどちらかに振り分けられる。
【０００９】
カードが挿入されていない状態から１枚のカードが例えば、左側挿入空間に向けて挿入されたときは、カードの装置奥側に位置する前端部が、第１係合部及び第２係合部のうちの一方の係合部、例えば第１係合部に係合する。このとき、カードに与えられる押し込み力が、第１係合部を介して回動部材の回動力として伝えられ、回動部材が回動し始める。引き続きカードが押し込まれると、回動部材もさらに回動し、第２係合部がカードの側面を押圧する状態に至る。したがって、カードは少なくとも第２係合部に案内されながら所定のカード装着位置まで移動して係止される。カードが、この所定のカード装着位置に至ると、カードの接触部材が左側挿入空間の端子部材と接触した状態となる。この状態において、カードに対する信号の送受信が可能となる。
【００１０】
１枚のカードが右側挿入空間に向けて挿入されたときも、上述と略同様である。すなわち、カードの前端部が、例えば第２係合部に係合し、カードに与えられる押し込み力により回動部材が回動し始める。引き続いておこなわれるカードの押し込みにより、回動部材も回動を続け、第１係合部がカードの側面を押圧する。したがって、所定の装着位置に至るまでカードは少なくとも第１係合部によって案内される。所定のカード装着位置に至ると、カードの接触部材が右側挿入空間の端子部材に接触し、カードに対する信号の送受信が可能となる。
【００１１】
なお、左側挿入空間、右側挿入空間のいずれか一方にカードが挿入された状態で、２枚目のカードを挿入する場合には、その２枚目のカードは、１枚目のカードの側方に位置する第１係合部、第２係合部の該当するものに案内され、所定のカード装着位置まで容易に押し込むことができる。２枚目のカードが所定のカード装着位置に至ったときには、この２枚目のカードに対する信号の送受信が可能となる。このようにして本発明は、カードを左右に並べて収納できる。
【００１２】
また上述のように、挿入された１枚目のカードが振り分け機構の回動部材、及び第１，第２係合部の動作を介して、左側挿入空間、右側挿入空間のどちらかに振り分けられるので、その１枚目のカードを挿入する際に、左側挿入空間に向けて、あるいは右側挿入空間に向けて、だいたいの目安で挿入すればよい。すなわち、１枚目のカードを挿入する際に、カードを挿入するための慎重な位置合わせを要しない。これにより、カードの挿入操作性を向上させることができる。
【００１３】
また本発明は、上記発明において、上記左側挿入空間及び上記右側挿入空間を形成するハウジングに、上記回動部材を収容する凹部を設けたことを特徴としている。
【００１４】
このように構成した本発明は、回動部材がハウジングの凹部に収容されるので、カードの挿入に際し、カードと回動部材との干渉を生じないようにすることができ、円滑なカード挿抜動作を実現できる。すなわち、カードの挿抜操作性の向上に貢献する。
【００１５】
また本発明は、上記発明において、上記凹部の深さ寸法と上記回動部材の厚さ寸法との関係を、上記凹部の上縁部から上記回動部材が突出しない寸法関係に設定したことを特徴としている。
【００１６】
このように構成した本発明は、ハウジングに対向するカードの裏面を平坦面としても、カードと回動部材との干渉を生じる虞がない。したがって、カードの形状を簡単にすることができる。
【００１７】
また本発明は、上記発明において、上記カードが基準幅を有する第１カードから成り、上記左側挿入空間、上記右側挿入空間のそれぞれの幅寸法を、上記第１カードの基準幅と略等しい寸法に設定するとともに、上記左側挿入空間及び上記右側挿入空間を含む領域を、上記第１カードの上記基準幅の２倍の幅寸法を有する第２カードの挿入を可能にさせる空間領域に設定したことを特徴としている。
【００１８】
このように構成した本発明は、基準幅の２枚の第１カードを左右に並べて収納できるとともに、２倍幅の１枚の第２カードも収納でき、信号処理能力を高めることができる。
【００１９】
また本発明は、上記発明において、上記第１カードが、その側面に上記他方の係合部を案内するガイド溝を有することを特徴としている。
【００２０】
このように構成した本発明は、他方の係合部の一部をカードのガイド溝内に収容させることができるので、装置の横幅寸法を小さく設定することができ、装置の小型化を実現できる。
【００２１】
また本発明は、上記発明において、上記第１係合部、第２係合部のそれぞれが平面視円形状から成るとともに、これらの第１係合部、第２係合部の各径寸法を、上記第１カードのガイド溝の幅寸法の２倍以下に設定したことを特徴としている。
【００２２】
このように構成した本発明は、左側挿入空間、右側挿入空間のそれぞれに第１カードを挿入させた際、それぞれのカードの互いに対向する側面に位置するガイド溝によって形成される空間部分に、すなわち、２つのガイド溝の突き合わせによって形成される空間部分に、第１，第２係合部の全体を収容できる。これにより、装置の横幅寸法を、２枚の第１カードの合計した幅寸法、すなわち第２カードの幅寸法に応じた最小寸法に設定できる。
【００２３】
また本発明は、上記発明において、上記第２カードが、上記第１係合部及び上記第２係合部を収納する凹部を有することを特徴としている。
【００２４】
このように構成した本発明は、第２カードの挿入に際し、この第２カードの凹部に第１係合部及び第２係合部が収容されるので、この第２カードの円滑な挿抜動作を実現できる。すなわち、第２カードの挿抜操作性の向上に貢献する。
【００２５】
【発明の実施の形態】
以下，本発明のカード用コネクタ装置の実施形態を図に基づいて説明する。
【００２６】
［本実施形態で使用可能な第１カード］
図１は本発明の一実施形態で使用可能な基準幅の第１カードを示す図で、（ａ）図は裏面図、（ｂ）図は側面図、（ｃ）図は背面図、（ｄ）図は要部側断面図である。
【００２７】
この図１に示すように、本実施形態に使用可能な第１カード１は、基準幅を有するとともに、表面１ａ及び裏面１ｂの基本形状は平坦面を含む形状に形成してある。コネクタ装置に挿入された際に、装置奥側に位置する前端部１ｃ付近には、同図１の（ｃ）（ｄ）図に示すように、信号の送受信に際して活用される接触部材１ｅを備えている。また、同図１の（ａ）（ｂ）図に示すように、裏面１ｂの前端部１ｃの両隅部付近のそれぞれには、テーパ部１ｄ１を含むガイド溝１ｄを形成してある。
【００２８】
［本実施形態で使用可能な第２カード］
図２は本実施形態で使用可能な２倍幅の第２カードを示す図で、（ａ）図は裏面図、（ｂ）図は側面図、（ｃ）図は背面図である。
【００２９】
この図２に示すように、本実施形態に使用可能な第２カード２は、第１カード１の基準幅の２倍の幅寸法を有するとともに、表面２ａ及び裏面２ｂの基本形状は平坦面を含む形状に形成してある。コネクタ装置に挿入された際に、装置奥側に位置する前端部２ｃ付近には、同図２の（ｃ）図に示すように、信号の送受信に際して活用される接触部材２ｅと接触部材２ｆとを備えている。また、同図２の（ａ）図に示すように、裏面２ｂの前端部１ｃの中央部付近には、凹部２ｄを形成してある。
【００３０】
［本実施形態の構成］
図３は本実施形態を示す図で、（ａ）図は平面図、（ｂ）図は正面図、（ｃ）図は側面図、（ｄ）図は（ａ）図のＡ−Ａ断面図である。図４は本実施形態からカバー部材を除いた状態を示す平面図である。図５は図４の要部を示す図で、（ａ）図は振り分け機構を拡大して示した図、（ｂ）図は（ａ）図のＢ−Ｂ矢視の要部断面図である。
【００３１】
本実施形態は、図３の（ｂ）図に示すように、ハウジング４と、このハウジング４を覆う金属製のカバー部材５によって、第１カード１、第２カード２のそれぞれが挿入される本体が形成されている。この本体内に、左側挿入空間６と右側挿入空間７とを、互いに連結形成してある。
【００３２】
これらの左側挿入空間６、右側挿入空間７に、それぞれ１枚の第１カード１が挿入可能になっている。すなわち、左側挿入空間６に１枚の第１カード１を、右側挿入空間７に別の１枚の第１カード１を挿入でき、合計２枚の第１カード１を左右に並べて挿入可能になっている。
【００３３】
また、左側挿入空間６、右側挿入空間７を含む空間領域に、１枚の第２カード２が挿入可能になっている。
【００３４】
図３の（ａ）（ｄ）図に示すように、左側挿入空間６の装置奥側位置には、第１カード１の接触部材１ｅ、及び第２カード２の接触部材２ｅが接触可能な左側端子部材８を有し、右側挿入空間７の装置奥側位置には、第１カード１の接触部材１ｅ、及び第２カード２の接触部材２ｆが接触可能な右側端子部材９を有する。
【００３５】
図４に示すように、ハウジング４の略中央部分には、左側挿入空間６、右側挿入空間７のそれぞれへ第１カード１を案内する振り分け機構１０を備えている。この振り分け機構１０は、図５の（ａ）（ｂ）図にも示すように、回動支点を形成する軸１３で支持された回動部材１２と、この回動部材１２の軸１３を挟むように配置される第１係合部１４、第２係合部１５とを含む構成にしてある。
【００３６】
回動部材１２は、ハウジング４に形成した円形の凹部１１内に収容させてある。例えば、凹部１１の深さ寸法と、回動部材１２の厚さ寸法との関係を、凹部１１の上縁部１１ａから回動部材１２の上面が突出しない寸法関係に設定してある。
【００３７】
また、第１係合部１４、第２係合部１５のそれぞれは、例えば平面視円形状に形成してあるとともに、それぞれの径寸法を、例えば図１の（ａ）図に示す第１カード１のガイド溝１ｄの幅寸法の２倍以下に設定してある。
【００３８】
このような回動部材１２、及び第１，第２係合部１４，１５を含む振り分け機構１０は、第１カード１が本体内に挿入されたとき、第１，第２係合部１４，１５のうちの一方の係合部への第１カード１の前端部１ｃの係合に伴って、第１，第２係合部１４，１５のうちの他方の係合部が、第１カード１の側面を押圧するように配置してある。
【００３９】
なお、図２の（ａ）図に示す上述した第２カード２の凹部２ｄは、第２カード２が所定のカード装着位置に装着された際に、振り分け機構１０の第１，第２係合部１４，１５を収納可能な形状寸法に設定してある。
【００４０】
［第１カードの左側挿入空間への挿入］
図６は本実施形態の左側挿入空間に第１カードが挿入された状態を示すカバー部材を除いた平面図である。図７，８，９，１０は、それぞれ左側挿入空間への第１カードの挿入途中の状態を示すカバー部材を除いた平面図である。図１１は左側カード装着位置に第１カードが装着された状態を示す図で、（ａ）図はカバー部材を除いた平面図、（ｂ）図は（ａ）図のＣ−Ｃ断面図である。
【００４１】
本体内に第１カード１、第２カード２が挿入されていない状態から、例えば図６に示すように、左側挿入空間６に向けて第１カード１が挿入されたものとする。
【００４２】
押し込まれた第１カード１は、図７に示すように、その前端部１ｃが、振り分け機構１０の第１係合部１４に係合する。さらに押し込まれる間、図８にも示すように、第１カード１の前端部１ｃによって、この第１カード１に与えられる押し込み力が、第１係合部１４を介して回動部材１２の回動力として伝えられ、この回動部材１２が同図８の時計方向に回動する。
【００４３】
引き続き第１カード１が押し込まれると、図９に示すように、回動部材１２もさらに回動し、第２係合部１５が第１カード１のガイド溝１ｄ内に入り、この第１カード１の右側面、すなわち右側に位置するガイド溝１ｄの側壁を押圧する状態となる。さらに第１カード１が押し込まれると、この第１カード１は第２係合部１５に案内されながら装置奥側に向って移動し、図１０に示すように、第１係合部１４もテーパ部１ｄ１に案内されてガイド溝５内に入る。
【００４４】
その後、第１カード１は例えば第１係合部１４、第２係合部１５に案内されて、図１１の（ａ）図に示すように、左側挿入空間６の左側カード装着位置に至り、係止される。この状態に至ると、図１１の（ｂ）図に示すように、第１カード１の接触部材１ｅが左側端子部材８に接触する。この状態において、第１カード１に対する信号の送受信が可能となる。
【００４５】
なお、このように左側挿入空間６の左側カード装着位置に第１カード１が保持されている状態で、別の第１カード１を右側挿入空間７に挿入するときには、その別の第１カード１は、左側挿入空間６に挿入されている第１カード１の右側面、及び第１，第２係合部１４，１５と、ハウジング４の右側壁４ｂとによって案内され、右側カード装着位置まで確実に押し込むことができる。
【００４６】
［第１カードの右側挿入空間への挿入］
図１２は本実施形態の右側挿入空間への第１カードの挿入途中の状態を示すカバー部材を除いた平面図である。図１３は本実施形態の右側挿入空間の右側カード装着位置に第１カードが装着された状態を示す平面図である。
【００４７】
本体内に第１カード１、第２カード２が挿入されていない状態から、１枚の第１カード１が右側挿入空間７に向けて挿入されたときも、上述と同様である。すなわち、第１カード１の前端部１ｃが図１２に示すように第２係合部１５に係合し、第１カード１に与えられる押し込み力により回動部材１２が回動し始める。引き続いておこなわれる第１カード１の押し込みにより、回動部材１２も回動を続け、第１係合部１４がガイド溝１ｄ内に入り、この第１カード１の左側面、すなわち左側に位置するガイド溝１ｄの側壁を押圧する。
【００４８】
さらに第１カード１が押し込まれると、第１カード１は第１係合部１４、第２係合部１５に案内されて、図１３に示すように、右側挿入空間７の右側カード装着位置に至り、係止される。この状態に至ると、第１カード１の接触部材１ｅが右側端子部材９に接触する。この状態において、第１カード１に対する信号の送受信が可能となる。
【００４９】
このように右側挿入空間７の右側カード装着位置に第１カード１が保持されている状態で、別の第１カード１を左側挿入空間６に挿入する際には、その別の第１カード１は、右側挿入空間７に挿入されている第１カード１の左側面、及び第１，第２係合部１４，１５と、ハウジング４の左側壁４ａとによって案内され、左側カード装着位置まで確実に押し込むことができる。
【００５０】
［２枚の第１カードの装着］
図１４は本実施形態の左側挿入空間の左側カード装着位置、右側挿入空間の右側カード装着位置のそれぞれに第１カードが装着された状態を示すカバー部材を除いた平面図である。
【００５１】
この図１４に示すように、本実施形態は、左側挿入空間６と右側挿入空間７のそれぞれに第１カード１を挿入できる。すなわち、左右に並べて所定のカード装着位置に保持させることができる。この状態では、左側挿入空間６の左側カード装着位置に装着された第１カード１の接触部材１ｅが左側端子部材８に接触する。したがって、左側挿入空間６の第１カード１に対する信号の送受信が可能となる。同様に、右側挿入空間７の右側カード装着位置に装着された第１カード１の接触部材１ｅが右側端子部材９に接触する。したがって、右側挿入空間７の第１カード１に対する信号の送受信が可能となる。
【００５２】
［第２カードの挿入］
図１５は本実施形態の左側挿入空間、及び右側挿入空間を含む領域に第２カードが挿入された状態を示すカバー部材を除いた平面図である。図１６は左側挿入空間、及び右側挿入空間への第２カードの挿入途中の状態を示すカバー部材を除いた平面図である。図１７は左側挿入空間の左側カード装着位置、及び右側挿入空間の右側カード装着位置に第２カードが装着された状態を示すカバー部材を除いた平面図である。
【００５３】
図１５に示すように、第２カード２が挿入されたときには、その両側面がハウジング４の左側壁４ａ、右側壁４ｂのそれぞれに案内され、確実に挿入できる。さらに押し込まれると、図１６に示すように、この第２カード２の凹部２ｄ内に振り分け機構１０の第１係合部１４と第２係合部１５が収容される。引き続き第２カード２が押し込まれると、図１７に示すように、所定のカード装着位置に至る。この状態では、第２カード２の接触部材２ｅが左側端子部材８に接触し、接触部材２ｆが右側端子部材９に接触する。これらの接触により、第２カード２に対する信号の送受信が可能となる。
【００５４】
このように構成した実施形態は、上述したように、本体内に形成される左側挿入空間６、右側挿入空間７のそれぞれに第１カード１を挿入できる。すなわち、２枚の第１カード１を左右に並べて所定の装着位置に保持させることができ、装置の薄型化を実現できる。
【００５５】
また、挿入された１枚目の第１カード１が振り分け機構１０の回動部材１２、及び第１，第２係合部１４，１５の動作を介して、左側挿入空間６、右側挿入空間７のどちらかに振り分けられる。したがって、その１枚目の第１カード１を挿入する際に、左側挿入空間６に向けて、あるいは右側挿入空間７に向けて、だいたいの目安で挿入すればよい。すなわち、１枚目の第１カード１を挿入するための慎重な位置合わせを要しない。これにより、第１カード１の挿入操作性を向上させることができ、コネクタ装置としての高い信頼性を確保することができる。
【００５６】
また、回動部材１２をハウジング４の凹部１１に収容させてあるので、第１カード１及び第２カード２の挿入に際し、これらの第１カード１、第２カード２と、回動部材１２との干渉を生じないようにすることができ、円滑な第１，第２カード１，２の挿抜動作を実現できる。すなわち、第１，第２カード１，２の挿抜操作性の向上に貢献する。
【００５７】
また、ハウジンジ４の凹部１１の上縁部１１ａから回動部材１２の上面が突出しない寸法関係にしてあることから、第１，第２カード１，２の裏面１ｂ，２ｂの基本形状を平坦面とすることができ、これらの第１，第２カード１，２の形状を簡単にすることができる。
【００５８】
また、上述したように基準幅の２枚の第１カード１を左右に並べて収納できるとともに、２枚幅の１枚の第２カード２も収納でき、これにより、信号処理能力を高めることができる。
【００５９】
また、第１カード１にガイド溝１ｄを形成し、第１係合部１４、あるいは第２係合部１５の一部をガイド溝１ｄ内に収容させるようにしてあるので、装置の横幅寸法を小さく設定することができ、装置の小型化を実現できる。
【００６０】
特に、左側挿入空間６、右側挿入空間７のそれぞれに第１カード１を挿入させた際、これらの第１カード１の２つのガイド溝１ｄの突き合わせによって形成される空隙部分に、第１，第２係合部１４，１５の全体を収容できる。これにより、装置の横幅寸法を２枚の第１カード１の合計した幅寸法、すなわち第２カード２の幅寸法に応じた最小寸法に設定できる。
【００６１】
また、第２カード２に、第１，第２係合部１４，１５が収容される凹部２ｄを形成したことから、第２カード２の円滑な挿抜動作を実現でき、第２カード２の挿抜操作性の向上に貢献する。
【００６２】
【発明の効果】
本発明は以上の構成にしてあることから、複数枚のカードを左右に並べて収納させることができ、装置の薄型化を実現できる。
【００６３】
また、回動部材、第１，第２係合部を含む振り分け機構により、挿入されたカードを確実に左側挿入空間、右側挿入空間のどちらかに振り分けることができ、カードの挿入操作性を向上させることができる。これにより、コネクタ装置としての高い信頼性を確保できる。
【図面の簡単な説明】
【図１】本発明のカード用コネクタ装置の一実施形態で使用可能な基準幅の第１カードを示す図で、（ａ）図は裏面図、（ｂ）図は側面図、（ｃ）図は背面図、（ｄ）図は要部側断面図である。
【図２】本実施形態で使用可能な２倍幅の第２カードを示す図で、（ａ）図は裏面図、（ｂ）図は側面図、（ｃ）図は背面図である。
【図３】本発明のカード用コネクタ装置の一実施形態を示す図で、（ａ）図は平面図、（ｂ）図は正面図、（ｃ）図は側面図、（ｄ）図は（ａ）図のＡ−Ａ断面図である。
【図４】本実施形態からカバー部材を除いた状態を示す平面図である。
【図５】図４の要部を示す図で、（ａ）図は振り分け機構を拡大して示した図、（ｂ）図は（ａ）図のＢ−Ｂ矢視の要部断面図である。
【図６】本実施形態の左側挿入空間に第１カードが挿入された状態を示すカバー部材を除いた平面図である。
【図７】本実施形態の左側挿入空間への第１カードの挿入途中の状態を示すカバー部材を除いた平面図である。
【図８】本実施形態の左側挿入空間への第１カードの挿入途中の状態を示すカバー部材を除いた平面図である。
【図９】本実施形態の左側挿入空間への第１カードの挿入途中の状態を示すカバー部材を除いた平面図である。
【図１０】本実施形態の左側挿入空間への第１カードの挿入途中の状態を示すカバー部材を除いた平面図である。
【図１１】本実施形態の左側カード装着位置に第１カードが装着された状態を示す図で、（ａ）図はカバー部材を除いた平面図、（ｂ）図は（ａ）図のＣ−Ｃ断面図である。
【図１２】本実施形態の右側挿入空間への第１カードの挿入途中の状態を示すカバー部材を除いた平面図である。
【図１３】本実施形態の右側挿入空間の右側カード装着位置に第１カードが装着された状態を示す平面図である。
【図１４】本実施形態の左側挿入空間の左側カード装着位置、右側挿入空間の右側カード装着位置のそれぞれに第１カードが装着された状態を示すカバー部材を除いた平面図である。
【図１５】本実施形態の左側挿入空間、及び右側挿入空間を含む領域に第２カードが挿入された状態を示すカバー部材を除いた平面図である。
【図１６】本実施形態の左側挿入空間、及び右側挿入空間への第２カードの挿入途中の状態を示すカバー部材を除いた平面図である。
【図１７】本実施形態の左側挿入空間の左側カード装着位置、及び右側挿入空間の右側カード装着位置を含む所定の装着位置に、第２カードが装着された状態を示すカバー部材を除いた平面図である。
【符号の説明】
１    第１カード
１ａ  表面
１ｂ  裏面
１ｃ  前端部
１ｄ  ガイド溝
１ｄ１  テーパ部
１ｅ  接触部材
２    第２カード
２ａ  表面
２ｂ  裏面
２ｃ  前端部
２ｄ  凹部
２ｅ  接触部材
２ｆ  接触部材
３    コネクタ装置
４    ハウジング
４ａ  左壁部
４ｂ  右壁部
５    カバー部材
６    左側挿入空間
７    右側挿入空間
８    左側端子部材
９    右側端子部材
１０  振り分け機構
１１  凹部
１１ａ  上縁部
１２  回動部材
１３  軸
１４  第１係合部
１５  第２係合部
【図１】
2004318511.tif 000003
【図２】
2004318511.tif 000004
【図３】
2004318511.tif 000005
【図４】
2004318511.tif 000006
【図５】
2004318511.tif 000007
【図６】
2004318511.tif 000008
【図７】
2004318511.tif 000009
【図８】
2004318511.tif 000010
【図９】
2004318511.tif 000011
【図１０】
2004318511.tif 000012
【図１１】
2004318511.tif 000013
【図１２】
2004318511.tif 000014
【図１３】
2004318511.tif 000015
【図１４】
2004318511.tif 000016
【図１５】
2004318511.tif 000017
【図１６】
2004318511.tif 000018
【図１７】
2004318511.tif 000019